(57)【特許請求の範囲】
【請求項１】
医用ドレーンチューブをなす管状体のルーメン開口部を封止するためのシールキャップであって、
該シールキャップはシールキャップ本体及び封止手段を有し、
シールキャップ本体は円盤状をなす弾性体からなり、上盤面から下盤面までを貫通する密着孔と、下盤面からシールキャップ本体の側面または上盤面までを貫通する、生体排出物を排出するための開放孔とを有し、
封止手段は下盤面に一体に設けられ、管状体のルーメンと密着孔及び該ルーメンと開放孔とを連通させつつ管状体基端のルーメン開口部を封止できることを特徴とする医用シールキャップ。
【請求項２】
請求項１記載の医用シールキャップ、連結部及び管状体を有する医用ドレーンチューブであって、
連結部は、その一端がシールキャップ本体に連結され、他端が管状体の外周部に接合可能な線状体からなることを特徴とする医用ドレーンチューブ。
【発明の詳細な説明】
【０００１】
【産業上の利用分野】
本発明は、医用シールキャップ及びそれを備えた医用ドレーンチューブに関する。
【０００２】
【従来の技術】
胆嚢、肝臓、胃、腸などの消化器系臓器の治療において、生体内に溜まる不要な分泌液や汚物（以下、「生体排出物」という）を生体外に抜き出すことが行われ、この治療にはドレーンチューブのようなチューブが使用される。
【０００３】
ドレーンチューブによる生体排出物の排出中に他の治療を行うためには、ドレーンチューブを取り除いて医療用カテーテルを挿入するか、またはドレーンチューブと並行して医療用カテーテルを挿入するかしなければならない。医療用カテーテルを挿入するには、ガイドワイヤー等の誘導治具が必要である。しかしながら、このようなカテーテル挿入操作は煩雑である。
【０００４】
そこで、医療用カテーテルをドレーンチューブのルーメン内に挿入して、患部まで誘導する方法が試みられている。しかし、ドレーンチューブからは生体排出物が排出されているので、医療用カテーテルを挿入する際に排出される生体排出物が術者や患者の体に飛び散ることがあり、不快感を与える。また、医療用カテーテルがドレーンチューブを塞いでしまうことのないよう、素早く挿入する必要がある。
【０００５】
この方法を素早く行うためのドレーンチューブとして、その手元部に弁体付き分岐管をドレーンチューブから分岐させ、ドレーンチューブ本体を経由して生体排出物を排出し、分岐管を経由して医療用カテーテルを挿入するようにしたものが提案されている。
【０００６】
しかし、分岐管の弁体を通して雑菌が侵入、繁殖したときや、弁体が異物を噛み込んで生体排出物の漏出を引き起こしたときは、ドレーンチューブ本体に分岐管が固定されているので、ドレーンチューブ全体を交換しなければならない。
【０００７】
【発明が解決しようとする課題】
本発明の目的は、医療用カテーテルをドレーンチューブ本体内に容易に挿入でき、しかもドレーンチューブ本体から排出される生体排出物の外部漏出を防止できる医用シールキャップ、また、分岐管の弁体を通して雑菌が侵入、繁殖したときや、弁体が異物を噛み込んで生体排出物の漏出を引き起こしたときにも、ドレーンチューブ全体を交換する必要がない医用ドレーンチューブを提供することにある。
【０００８】
【課題を解決する手段】
本発明者らは、上記目的を達成するために鋭意検討をし、シールキャップ本体の上面（以下、「上盤面」という）からシールキャップ本体の下面（以下、「下盤面」という）までを貫通する密着孔と、下盤面からシールキャップ本体の側面または上盤面までを貫通する開放孔とを有するシールキャップ本体、及び封止手段を有する医用シールキャップを用いることによって上記目的を達成できることを見いだし、その知見に基づいて本発明を完成するに至った。
【０００９】
【課題を解決するための手段】
かくして本発明によれば、（１）医用ドレーンチューブをなす管状体のルーメン開口部を封止するためのシールキャップであって、該シールキャップはシールキャップ本体及び封止手段を有し、シールキャップ本体は円盤形状をなす弾性体からなり、上盤面から下盤面までを貫通する密着孔と、下盤面からシールキャップ本体の側面または上盤面までを貫通する、生体排出物を排出するための開放孔とを有し、封止手段は下盤面に一体に設けられ、管状体のルーメンと密着孔及び該ルーメンと開放孔とを連通させつつ管状体基端のルーメン開口部を封止できることを特徴とする医用シールキャップが提供される。
【００１０】
また、本発明の医用シールキャップの好適な態様として、
（２）封止手段がシールキャップ本体の下盤面から同軸に突き出た円筒状をなし、その円筒外周面に螺状または環状の襞を有するものであり、管状体のルーメン内壁に該襞を押圧することを特徴とする前記（１）の医用シールキャップ、
（３）封止手段がシールキャップ本体の下盤面に同軸に画成された環状の凹溝であり、管状体のルーメン開口縁が該凹溝に嵌合しうることを特徴とする前記（１）の医用シールキャップ、
（４）封止手段がシールキャップ本体の下盤面に同軸に画成された円筒内面状の凹部であり、該凹部内周面に環状突起からなる返し部設け、これにより、管状体のルーメン開口縁と該凹部との嵌合が容易に解けないことを特徴とする前記（１）の医用シールキャップ、及び
（５）シールキャップ本体の側面または上盤面に開口する開放孔に排出管を接続してなることを特徴とする前記（１）の医用シールキャップが提供される。
【００１１】
また本発明によれば、
（６）前記（１）〜（５）のいずれかの医用シールキャップ、連結部及び管状体を有する医用ドレーンチューブであって、連結部は、その一端がシールキャップ本体に連結され、他端が管状体の外周部に接合可能な線状体からなることを特徴とする医用ドレーンチューブが提供される。
【００１２】
また、本発明の医用ドレーンチューブの好適な態様として、
（７）円盤形状の弾性体からなり、下盤面から側面または上盤面までを貫通する開放孔と、下盤面に設けられた封止手段とを有する第２型のシールキャップをさらに備え、連結部により第２型シールキャップを管状体の外周に保持しうることを特徴とする前記（６）の医用ドレーンチューブ、
（８）円盤形状の弾性体からなり、上盤面から下盤面までを貫通する密着孔と、下盤面に設けられた封止手段とを有する第３型シールキャップをさらに備え、連結部により第３型シールキャップを管状体の外周に保持しうることを特徴とする前記（６）の医用ドレーンチューブ、
（９）円盤形状の弾性体からなり、下盤面に設けられた封止手段を有する第４型シールキャップをさらに備え、連結部により第４型シールキャップを管状体の外周に保持しうることを特徴とする前記（６）の医用ドレーンチューブ、及び
（１０）第２型シールキャップ、第３型シールキャップ及び第４型シールキャップをさらに備えることを特徴とする前記（６）の医用ドレーンチューブが提供される。
【００１３】
本発明の医用シールキャップ（以下、単に「第１型シールキャップ」ということがある）は、シールキャップ本体と封止手段とを有するものである。
【００１４】
シールキャップ本体は円盤形状をなす弾性体からなるものである。該本体には密着孔と開放孔とを有する。
【００１５】
密着孔は常態において向かい合う孔壁同士が密着しているが、密着孔を押し広げると向かい合う孔壁が離れ得るようになっているものである。密着孔はシールキャップ本体の下盤面から上盤面に貫通している。本発明の医用シールキャップの上盤面側から密着孔に医療用カテーテルを挿入すると、密着孔の孔壁が押し広げられ該カテーテルが医用シールキャップを貫通する。密着孔の孔壁は医療用カテーテルの外周に密着しているので、下盤面側から上盤面側へ流体が漏出することがない。
【００１６】
密着孔の形態としては、例えば一文字状、十文字状、Ｙ文字状などのスリットや、小孔（ピンホール）からなるものが挙げられる。
【００１７】
密着孔を押し広げたときの密着孔の開口の大きさは、通常、１〜１０ｍｍである。カテーテル等を挿入している際の漏液防止機能を高めるために、シールキャップ本体の下盤面側にある密着孔の開口の大きさを上盤面側にある密着孔の開口の大きさの１１０〜１７０％に形成する。
【００１８】
開放孔は常態において向かい合う孔壁が離れているものである。開放孔はシールキャップ本体の下盤面から上盤面に貫通しており、流体を下盤面から開放孔を通して上盤面側または側面側へ排出できる。
【００１９】
なお、開放孔を通して排出される流体を、所定の場所まで輸送できるようにするためにシールキャップ本体の側面に開放孔が開口する部分に排出管を接合することが好ましい。
【００２０】
本発明の医用シールキャップはそのシールキャップ本体の下盤面に封止手段が連設されており、この封止手段により管状体の開口部を封止できる。
【００２１】
封止手段としては、シールキャップ本体の下盤面から同軸に突き出た円筒状をなし、その外周面に外径が管状体のルーメンの内径よりも大きい螺条または環状の襞を有するものや、シールキャップ本体の下盤面に同軸に画成した環状の凹溝であり、管状体のルーメン開口縁が該凹溝に嵌合できるものや、環状凹溝の内側にさらに上記円筒状の封止手段を併設したものや、シールキャップ本体の下盤面に同軸に画成した円筒内面状の凹部であり、該凹部内周面に環状突起からなる返し部を設けたもの等が挙げられる。特に、返し部を設けた封止手段は、管状体のルーメン開口縁と該凹部との嵌合が容易に解けないので好ましい。
【００２２】
本発明の医用ドレーンチューブは、前記第１型シールキャップと連結部と管状体からなるものである。
【００２３】
本発明の医用ドレーンチューブにおいて、連結部は、その一端が第１型シールキャップの側面と連結され、他端が管状体の外周部に接合可能な線状体からなり、シールキャップを管状体の外周部に遊動自在に連結保持するものである。
【００２４】
連結部の形態としては、鎖、帯、紐等が挙げられる。連結部の一端と第１型シールキャップとの連結はその手段において限定されない。
【００２５】
連結部の他端を管状体の外周部に接合するには、例えば、管状体の外周を締め付け可能な弾性体からなる環状体を設け（図９）、その中に管状体を挿通挟持する手段や、管状体の開口端にフランジを設けそのフランジの端に連結部の他端を接合、融着（図８）などする手段が挙げられる。
【００２６】
なお、本発明の医用ドレーンチューブにおいては、必要に応じて、下盤面から側面または上盤面までを貫通する開放孔と下盤面に封止手段とを有する第２型シールキャップ、上盤面から下盤面までを貫通する密着孔と下盤面に封止手段とを有する第３型シールキャップ又は下盤面に封止手段を有する第４型シールキャップを、連結部により管状体の外周に遊動自在に保持させることができる。
【００２７】
これら第２型、第３型及び第４型シールキャップは第１型シールキャップに形成される開放孔または密着孔の有無が第１型シールキャップと異なるだけで、他の構成は第１型シールキャップと同一のものである。
【００２８】
本発明の医用ドレーンチューブにおいて、管状体は先端から基端までを貫通するルーメンを有するものであり、前記各種のシールキャップはいずれも管状体の基端のルーメン開口を封止するものである。
【００２９】
管状体の基端開口部の形状は、シールキャップの封止手段により封止可能な形状であればよく、例えば、図３のように直胴のもの、図６のように基端に返し部があるもの、図８のようにフランジを設けたものなどが挙げられる。
【００３０】
管状体の先端の形状は、ドレーンチューブとして機能するものであればよく、先端開口以外に、側孔を有していてもよい。
【００３１】
管状体の太さ及び長さは、治療部位、患者の体型により適宜選択されるものであり特に限定されない。
【００３２】
【作用】
本発明の第１型シールキャップは、ドレーンチューブなどの管状体の端部に装着して使用される。第１型シールキャップにはドレーンチューブと外部とを連絡する開放孔が設けられているので、ドレーンチューブ内の生体排出物をその開放孔を通じ、必要に応じてさらに排出管を経由して外部に排出することができる。
【００３３】
なお、上記第２型シールキャップには、第１型のシールキャップと異なり、医療用カテーテル挿入等が可能な密着孔が設けられていない。第２型シールキャップは、医療用カテーテル等の使用が予定されておらず、生体排出物の排出だけが必要とされる時期、例えば、術後の静養期間などに使用される。この第２型シールキャップは、密着孔からの生体排出物漏出のおそれが完全に除去されるので、医療用カテーテル挿入の必要がないときに使用する。
【００３４】
生体排出物の排出が必要でない時は、上記第１型または第２型のシールキャップをドレーンチューブの端部から取り外し、第３型又は第４型のシールキャップを装着すればよい。第３型のシールキャップには開放孔が設けられていないので、ドレーンチューブ内に雑菌が侵入し繁殖することがない。
【００３５】
なお、上記第１型又は第３型のシールキャップには密着孔が設けられているから、この密着孔から随時医療用カテーテルを挿入することができる。密着孔の内壁がカテーテルの外周面に密着するので生体排出物の漏出が防止される。生体排出物の排出及び医療用カテーテルの挿入をしない時は、開放孔も密着孔も設けられていない第４型のシールキャップを用いて、単にドレーンチューブの端部開口を封止すればよい。
【００３６】
医療用カテーテルのドレーンチューブ内への挿入は、第１型または第３型のシールキャップを用いることにより可能になる。特に第１型のシールキャップには密着孔と共に開放孔が併設されているから、生体排出物を排出しつつ同時に医療用カテーテルを使用することができる。
【００３７】
この場合、本発明のシールキャップは弾性体で構成されているので、この弾性体に設けられている密着孔に医療用カテーテルの先端を進入させることにより、弾性体の弾力により密着孔の内壁をカテーテルの外壁に密着させて生体排出物の外部漏出を防止しつつ、カテーテルをドレーンチューブ内へ容易に送り込むことができる。
【００３８】
前記第１型または第３型のシールキャップに設けられた密着孔は、シールキャップを構成する弾性体の弾力により常時密封されているから、そこから生体排出物が漏出するおそれは少ない。仮にシールキャップの密着孔に異物が入って生体排出物の漏出が生じても、又は雑菌が侵入しても、シールキャップを交換するだけで正常な状態に復帰できる。
【００３９】
【実施例】
図１は、本発明における第１型シールキャップの第１実施例を示す説明図である。（ａ）は斜視図、（ｂ）は断面図である。
【００４０】
図１に示す第１型シールキャップ１は、円盤状弾性体からなるシールキャップ本体２と、これと一体に形成された封止手段３とからなり、シールキャップ本体２と封止手段３の共通の内部には、ドレーンチューブなどの管状体のルーメンと連通可能な開放孔４が画成されている。シールキャップ本体２の側面からは開放孔４と連通する排出管５が外部へ延びており、また、シールキャップ本体２の上盤面ほぼ中央には、開放孔４に至る密着孔６が設けられている。
【００４１】
シールキャップ本体２は、封止対象であるドレーンチューブなどの管状体の端部開口を余裕をもって覆うに足る直径を持てばよい。シールキャップ本体２の厚さは、排出管の取付け余地、密着孔の密封性確保の観点から、通常、シールキャップ本体２の直径の４０〜５０％程度とする。
【００４２】
シールキャップ本体２と封止手段３は通常は同一の材料で作成される。その材料としては、シリコーン、軟質ＰＶＣ、天然ゴム、ポリウレタン、軟質ポリアミド、軟質ポリエステル、ポリエチレン、ポリプロピレン等の各種樹脂が用いられる。なお、シールキャップ本体２と封止手段３を異なる材料で形成してもよいことは勿論である。又、図５のごとくシールキャップ本体２の側面を包む支持枠７を設けてもよい。
【００４３】
第１実施例において封止手段３はシールキャップ本体２の下盤面から同軸に突き出た円筒状をなし、その円筒の外周面に螺条または環状の襞を有するものである。封止手段３を上記管状体の開口内へ押し込むことにより、第１型シールキャップ１を当該端部に係止できる。そのため、襞の高さを含む円筒状の封止手段３の直径は開口内径よりも若干大きくする。直径対長さの比は１：１〜１：１．５程度である。封止手段３によるシールキャップ１の係止力には弾性体の弾力を利用するほか、粘着、接着等によってもよい。
【００４４】
排出管５はシールキャップ本体２の開放孔４の内壁に接着または溶接により固定される。排出管５の直径はシールキャップ本体２の直径の２０％程度である。その肉厚はキンクを生じない範囲でなるべく薄い方が取扱いが容易で好ましい。
【００４５】
密着孔６は、生体排出物の漏出を防止するため、シールキャップ本体２の弾力により常時閉止状態に保たれなければならない。そのため実質的孔径を極力ゼロに近づけるようにして加工される。密着孔６が細い線状又はピンホールであっても、カテーテルの先端で孔径を押し広げながらカテーテルを進入させることができる。又、密着孔６の中心軸から所定幅にわたって放射状に延びシールキャップ本体２を軸方向に貫通する複数の平面状密閉開裂を設けて密着孔６を広げ易くする。この場合の平面状開裂の個数と幅は、生体排出物の漏出傾向とカテーテルの進入容易性とを考慮して決定される。
【００４６】
図２は、本発明における第１型シールキャップ１の第２実施例を示す説明図である。（ａ）は斜視図、（ｂ）は断面図である。この第２実施例と第１実施例との相違点は、封止手段３の構造の違いだけである。他の部分は第１実施例と同一であるので、それらの詳細な説明は省略する。
【００４７】
第２実施例の第１型シールキャップ１における封止手段３は、シールキャップ本体２の下盤面に同軸に画成された環状の凹溝であり、図３に示すように、管状体の開口壁の先端がこの凹溝へ嵌合することにより固定される構造である。この場合の固定力は弾性体の弾力を利用するほか、粘着、接着等によってもよい。
【００４８】
また、図４に示すように、第２実施例のシールキャップに第１実施例のシールキャップと同様の、円筒状をなしその外周面に螺条または環状の襞を有する封止手段を併せ設けてもよい。
【００４９】
図５は、本発明における第１型シールキャップ１の第３実施例を示す説明図である。（ａ）は斜視図、（ｂ）は断面図である。この第３実施例と第１実施例との相違点はシールキャップ本体２の周囲に円筒状の枠７をはめた点だけである。他の部分は第１実施例と同一であるので、それらの詳細な説明は省略する。
【００５０】
この第３実施例における円筒状の枠７は、シールキャップ本体２が柔らかい場合にその剛性の不足を補って生体排出物の漏出を引き起こすような有害な変形を防止し、また、排出管の取付け強度を高めるために用いられる。従って、シールキャップ本体２よりも硬度が高い材料で作成される。なお、第３実施例では枠７以外の部分は第１実施例のものと同一としたが、上記第２実施例の第１型シールキャップ１においても枠７の使用が有効な場合があることはいうまでもない。
【００５１】
図６は、本発明の第１型シールキャップの第４実施例を示す図であり、（ａ）がその斜視図、（ｂ）がその断面図である。
【００５２】
第４実施例の第１型シールキャップは、その封止手段がシールキャップ本体の下盤面に同軸に円筒内面状の凹部を画成し、該凹部内周面に環状突起からなる返し部を設けたものである他は、第１実施例のシールキャップと同一の構成を有する。この返し部と管状体のルーメン開口縁とが嵌合すると容易には解けない。
【００５３】
図７は、シールキャップにおけるカテーテル挿入孔の配設状態を示す説明図である。図７に示すように、カテーテル挿入孔６の個数は１個に限られるものではなく、複数個であってもよい。また、図４に示すごとく、シールキャップ本体２の上面の密着孔６の周囲を浅い皿状又はコップ状に窪ませると、カテーテルを誘導し易くなる。
【００５４】
図８は本発明の医用ドレーンチューブの第１実施例を示す図であり、（ａ）はその要部断面図、（ｂ）はシールキャップを備える連結部１３を管状体１２に装着した状態を示す説明図である。また図９は本発明の医用ドレーンチューブの第２実施例を示す図であり、（ａ）は各種のシールキャップと連結部１３を表す斜視図、（ｂ）はシールキャップを備える連結部１３を管状体１２に装着した状態を示す説明図である。
【００５５】
図８に示す第１実施例の医用ドレーンチューブは、管状体１２からなるドレーンチューブ本体とシールキャップ及び連結部１３からなるものである。
【００５６】
第１実施例の医用ドレーンチューブにおいては、管状体の基端にはフランジが設けられており、このフランジに線条体からなる連結部が接合されている。この連結部は可撓性の樹脂から形成されている。連結部の他端には各種のシールキャップ（第１型シールキャップなど）が連結されている。
【００５７】
図９に示す第２実施例の医用ドレーンチューブは、連結部が管状体を挿通挟持できる環状体を有し、これを管状体の外周部に弾性的または塑性的に固定できるものである他は、第１実施例の医用ドレーンチューブと同一の構成をなすものである。
【００５８】
本発明の医用ドレーンチューブにおいて、連結部１３は、前記のごとく可撓性の樹脂または弾性体で形成するほか、金属で形成してもよい。連結部の形態としては、紐、鎖、帯などが挙げられる。
【００５９】
図１０は、本発明の医用ドレーンチューブが備える各種のシールキャップを示す説明図である。（ａ）は第１型の、（ｂ）は第２型の、（ｃ）は第３型の、（ｄ）は第４型のシールキャップを夫々示す断面図である。ここに例示する第１型シールキャップ１は、医用シールキャップの第４実施例として説明したものである（図６参照）からここでの説明を省略する。なお、第１〜第３実施例の医用シールキャップについても、以下に述べるように第２型〜第４型シールキャップを構成することができる。
【００６０】
図１０の（ｂ）に示す第２型シールキャップ９は、第１型シールキャップ１の構成中、シールキャップ本体２が開放孔４のみを備え、密着孔６を欠くものである。この第２型シールキャップ９は、医療用カテーテルの挿入操作をしない時に使用し、生体排出物を外部へ排出する機能を備えている。
【００６１】
図１０の（ｃ）に示す第３型シールキャップ１０は、第１型シールキャップ１の構成中、シールキャップ本体２が密着孔６のみを備え、開放孔４を欠くものである。この第３型シールキャップ１０は、生体排出物を外部へ排出する必要がなく、且つ医療用カテーテルの挿入操作が必要な時に使用できる。
【００６２】
図１０の（ｄ）に示す第４型シールキャップ１１は、第１型のシールキャップ１の構成中、シールキャップ本体２が開放孔４及び密着孔６を欠くものである。この第４型シールキャップ１１は、生体排出物を外部へ排出する必要がなく、且つ医療用カテーテルを挿入する必要がない時に使用できる。
【００６３】
治療の進行状況によっては、生体排出物を外部に排出する必要がない時期がある。このような場合、第１型または第２型のシールキャップ１または９を装着したままにすると、開放孔４へ雑菌が侵入して繁殖するおそれがある。このような場合でも、第１型または第２型のシールキャップ１または９を取り外して第３型または第４型のシールキャップ１０または１１に取り替えることにより、開放孔４への雑菌の侵入、繁殖のおそれを除去することが可能になる。第３型にするか第４型にするかは、医療用カテーテルの必要の有無による。
【００６４】
また治療の進行状況によっては、医療用カテーテルを必要としない時期がある。このような状況下では、第１型または第３型のシールキャップ１または１０を取り外して、第２型または第４型のシールキャップ９または１１に取り替える方が、密着孔６からの生体排出物漏出のおそれを完全に除去することができて好ましい場合がある。この場合、第２型にするか第４型にするかは、生体排出物の有無による。
【００６５】
このように、治療の状況に応じて最善の治療環境を確保しようとすれば、特定構造のシールキャップのみに依存するのではなく、各種の特徴を有する各種構造のシールキャップを、状況に応じて適宜使い分ける必要がある。従って、そのような各種のシールキャップを連結部によって管状体外周に保持し得るようにすることにより、治療の状況に応じた使い分けが可能になる。
【００６６】
【発明の効果】
本発明の医用シールキャップ及び医用ドレーンチューブによれば、次の効果が奏される。
【００６７】
すなわち、本発明の医用シールキャップはドレーンチューブ等から着脱自在であるから、治療の状況によって生体排出物の排出を要しない時は、開放孔を備えていない他のシールキャップに交換することにより、開放孔の不使用期間中に開放孔に雑菌が侵入し繁殖することを確実に防止することができる。
【００６８】
本発明の医用シールキャップでは、密着孔は弾性体の弾力を利用してカテーテルの外壁とシールキャップの密着孔の内壁とを密着させる構造を採用したので、生体排出物の外部漏出を伴うことなく当該カテーテルをドレーンチューブ内へ挿入することができる。
【００６９】
また、本発明の医用シールキャップでは、密着孔は弾性体の弾力により常時密封されているので、仮に密着孔に異物を噛み込んでも、密着孔の異物の存在箇所以外の部位は密封状態を維持するから、カテーテル挿入孔からの生体排出物の漏出が有効に防止される。
【００７０】
さらに、本発明の医用ドレーンチューブによれば、特定構造のシールキャップのみに依存するのではなく、夫々特徴を有する各種構造のシールキャップを予め保有し適宜使い分けることが可能になるので、治療の状況に応じて最善の治療環境を確保することができる。
【図面の簡単な説明】
【図１】本発明の第１型シールキャップの第１実施例を示す説明図である。（ａ）は斜視図、（ｂ）は断面図である。
【図２】本発明の第１型シールキャップの第２実施例を示す説明図である。（ａ）は斜視図、（ｂ）は断面図である。
【図３】図２に示す第１型シールキャップを管状体の端部に装着した状態を示す説明図である。
【図４】本発明の第１型シールキャップの別の例（図２に示すものの変形例）を示す説明図である。（ａ）は斜視図、（ｂ）は断面図である。
【図５】本発明の第１型シールキャップの第３実施例を示す説明図である。（ａ）は斜視図、（ｂ）は断面図である。
【図６】本発明の第１型シールキャップの第４実施例を示す図であり、（ａ）は斜視図、（ｂ）は断面図である。
【図７】第１型シールキャップにおける密着孔の配設状態を示す説明図である。
【図８】本発明の医用ドレーンチューブの第１実施例を示す図であり、（ａ）は要部断面図、（ｂ）はシールキャップを連結した連結部を管状体の端部に装着した状態を示す説明図である。
【図９】本発明の医用ドレーンチューブの第２実施例を示す図であり、（ａ）はシールキャップと連結部を表す斜視図、（ｂ）はシールキャップを連結した連結部を管状体の端部に装着した状態を示す説明図である。
【図１０】本発明の医用ドレーンチューブが備えるシールキャップを示す説明図である。（ａ）は第１型の、（ｂ）は第２型の、（ｃ）は第３型の、（ｄ）は第４型のシールキャップを夫々示す断面図である。
【符号の説明】
１：第１型シールキャップ
２：シールキャップ本体
３：封止手段
４：開放孔
５：排出管
６：密着孔
７：枠
９：第２型シールキャップ
１０：第３型シールキャップ
１１：第４型シールキャップ
１２：管状体
１３：連結部
１４：フランジ
１５：側孔
【図１】
0003841109.tif 000002
【図２】
0003841109.tif 000003
【図３】
0003841109.tif 000004
【図４】
0003841109.tif 000005
【図５】
0003841109.tif 000006
【図６】
0003841109.tif 000007
【図７】
0003841109.tif 000008
【図８】
0003841109.tif 000009
【図９】
0003841109.tif 000010
【図１０】
0003841109.tif 000011